Podtech/llm-jp-corpus-v4-ja_patent huggingface dataset:
(57)【要約】【課題】  製造、組立時間及びコストを節約でき、車体の転覆を防止できる補助輪同軸並列型の主輪構造を提供する。【解決手段】  車輪支持軸１と、回転軸３と、主要車輪体３と、補助輪体４から構成されている。車輪支持軸１は回転軸２に枢設され、主要車輪体３と補助輪体４は同軸で回転軸３に枢設されている。主要車輪体３と補助輪体４は各々ベアリングが設置され、ベアリングは回転軸３に嵌合されている。主要車輪体３と補助輪体４は各々ブッシングが設置され、ブッシングは回転軸３に嵌合されている。主要車輪体３と補助輪体４は、表面に異なる材質の外タイヤが別に設置されている。外タイヤは、射出成型、鋳込み成型または直接タイヤが設置されている。車輪支持軸１内の同軸補助輪によって、傾斜する時、地面との接触面積が増え、車体の転覆を防止する。【選択図】    図１
0003112938.tif 000002
【実用新案登録請求の範囲】
【請求項１】
車輪支持軸と、回転軸と、主要車輪体と、補助輪体から構成される補助輪同軸並列型の主輪構造において、
車輪支持軸が回転軸に枢設され、主要車輪体と補助輪体は同軸で回転軸に枢設されていることを特徴とする補助輪同軸並列型の主輪構造。
【請求項２】
前記主要車輪体と補助輪体は、各々ベアリングが設置され、ベアリングは回転軸に嵌合されていること特徴とする請求項１記載の補助輪同軸並列型の主輪構造。
【請求項３】
前記主要車輪体と補助輪体は、各々ブッシングが設置され、ブッシングは回転軸に嵌合されていることを特徴とする請求項３記載の補助輪同軸並列型の主輪構造。
【請求項４】
前記主要車輪体と補助輪体は、表面に異なる材質の外タイヤが別に設置されていることを特徴とする請求項１記載の補助輪同軸並列型の主輪構造。
【請求項５】
前記外タイヤは、射出成型されていることを特徴とする請求項４記載の補助輪同軸並列型の主輪構造。
【請求項６】
前記外タイヤは、鋳込み成型されていることを特徴とする請求項４記載の補助輪同軸並列型の主輪構造。
【請求項７】
前記外タイヤは、直接タイヤが設置されていることを特徴とする請求項４記載の補助輪同軸並列型の主輪構造。
【考案の詳細な説明】
【技術分野】
【０００１】
本考案は、補助輪同軸並列型の主輪構造に関するもので、特に、遊戯もしくは運動器材の車輪、例として、キックボード、三輪車、二輪車、スケートボード、ローラースケート、歩行器、スーツケース、手押し車、カート、玩具の車、健康器具の車輪に適用し、車輪支持軸内の同軸に主輪及び補助輪を設置して、カーブ傾斜する時、地面との接触を増やして、車体転覆を防止する。
【背景技術】
【０００２】
今日、一般に、子どもが使用するキックボード、三輪車及び二輪車構造は、子どもの操作が悪いと、カーブ時に傾いて転倒する恐れがある。そのため、多くの車輪支持軸両外側には外径の小さい補助輪が設置されている。しかし、二つの補助輪は別に小車輪軸が枢設され、その後、車輪支持軸に固定されるため、補助輪と主輪は異なる軸を具える。
【考案の開示】
【考案が解決しようとする課題】
【０００３】
解決しようとする問題点は、公知の技術は、製造、組立コストが増え、部品が多いため、組立に時間もかかる。更に、走行時、補助輪の車輪支持軸はぶつかりやすい上に、ぶつかると、壊れやすい点である。
【課題を解決するための手段】
【０００４】
本考案は、車輪支持軸、回転軸、主要車輪体及び補助輪体から構成される。そのうち、車輪支持軸は回転軸に枢設し、且つ主要車輪体と補助輪体は同軸で、各々ベアリングもしくはブッシングを設置し、ベアリングもしくはブッシングを回転軸に嵌合する。主要車輪体と補助輪体の表面には別に異なる材質の外タイヤを設置し、外タイヤは射出成型、鋳込み成型もしくは直接設置で実施することを最も主要な特徴とする。
【０００５】
本考案の補助輪同軸並列型の主輪構造は、下述の利点がある。
１．本考案は、車輪支持軸内の主要車輪体の両外側に各々同軸の補助輪体が設置されている。車輪支持軸内の同軸補助輪によって、傾斜する時、地面との接触面積が増え、過度な傾斜角度になることを防止し、車体の転覆を防止する。
【０００６】
２．本考案は、補助輪支持軸の部品の組立をすることなく、製造、組立時間及びコストを節約し、走行時にぶつかって壊れることを防止する。
本考案は、主要車輪体と補助輪体が吹込み型もしくは射出成型で製造され、外タイヤは射出成型（injection）、鋳込み成型（casting）もしくは直接タイヤ（tyre）設置で製造されているため、製造しやすい。
【考案を実施するための最良の形態】
【０００７】
（第一実施例）
図１に示すとおり、本考案の第一実施例は、主に、車輪支持軸１、回転軸２、主要車輪体３及び補助輪体４から構成される。そのうち、車輪支持軸１は回転軸２に枢設され、且つ主要車輪体３と補助輪体４は同軸で回転軸２に枢設されている。主要車輪体３と補助輪体４が枢設されている同軸の回転軸２は車輪支持軸１の前端フォーク内に設置され、車輪支持軸１の前端のフォーク部が全体を保護し、軽い衝撃であれば、壊れることがない。
【０００８】
（第二実施例）
図２に示すとおり、第二実施例は、車輪支持軸１Ａ、回転軸２Ａ、主要車輪体３Ａ及び補助輪体４Ａから構成される。そのうち、車輪支持軸１Ａが回転軸２Ａに枢設され、且つ主要車輪体３Ａと補助輪体４Ａは同軸で回転軸２Ａに設置されている。この他、主要車輪体３Ａと補助輪体４Ａには同軸上に各々ベアリング３１Ａとベアリング４１Ａ(もしくはブッシング)が設置され、ベアリング３１Ａとベアリング４１Ａ(もしくはブッシング)が回転軸２Ａに差し込まれる。また、主要車輪体３Ａと補助輪体４Ａの表面には別に異なる材質の外タイヤ３２Ａと外タイヤ４２Ａが設置され、外タイヤ３２Ａと外タイヤ４２Ａは射出成型、鋳込み成型もしくは直接設置で製造され、カーブ傾斜時に地面との接触面積を増やし、補助作用を高め、車体の転覆を防止する。
【０００９】
本考案は、子供用の補助輪を具えたキックボード、三輪車、二輪車の車輪だけでなく、スケートボード、ローラースケート、歩行器等の車輪もしくはスーツケースの車輪、手押し車、カート、玩具の車、健康器具の車輪に同軸の補助輪体を設置して使用する。
【図面の簡単な説明】
【００１０】
【図１】本考案の第一実施例による補助輪同軸並列型の主輪構造を示す前面図である。
【図２】本考案の第二実施例による補助輪同軸並列型の主輪構造を示す前面（局部断面）図である。
【符号の説明】
【００１１】
１  車輪支持軸、１Ａ  車輪支持軸、２  回転軸、２Ａ  回転軸、３  主要車輪体、３Ａ  主要車輪体、３１Ａ  ベアリング（もしくはブッシング）、３２Ａ  外タイヤ、４  補助輪体、４Ａ  補助輪体、４１Ａ  ベアリング（もしくはブッシング）、４２Ａ  外タイヤ
【図１】
0003112938.tif 000003
【図２】
0003112938.tif 000004
【手続補正書】
【提出日】平成17年6月9日(2005.6.9)
【手続補正１】
【補正対象書類名】実用新案登録請求の範囲
【補正対象項目名】請求項３
【補正方法】変更
【補正の内容】
【請求項３】
前記主要車輪体と補助輪体は、各々ブッシングが設置され、ブッシングは回転軸に嵌合されていることを特徴とする請求項１記載の補助輪同軸並列型の主輪構造。
(57)【要約】      （修正有）【課題】運転者が酔って自動車を運転しようとすると、自動車のエンジンが回転しない装置を提供するものである。【解決手段】自動車運転席、サンバイザー部分にアルコール検知器１と変換リレー２を接続し、変換リレーから流れる電源が、スタートスイッチ３（キースイッチ）の前方回路線に設けた飲酒運転防止装置。【選択図】図１
0003112937.tif 000002
【実用新案登録請求の範囲】
【請求項１】
自動車運転席、サンバイザー部分にアルコール検知器を設けたことを特徴とする飲酒運転防止装置。
【請求項２】
アルコール検知器、接続変換リレー、スタートスイッチ（キースイッチ）に接続したことを特徴とする請求項１と係る飲酒運転防止装置。
【請求項３】
接続変換リレー回路線は、スタートスイッチ（キースイッチ）の前方に接続したことを特徴とする請求項１、請求項２と係る飲酒運転防止装置。
【考案の詳細な説明】
【技術分野】
【０００１】本考案は飲酒運転防止装置に関する。
【背景技術】
【０００２】実願２００３−９１５は自動車に設けられるアルコール検知器とは異なる。
特願８−１０９６０７は自動車用アルコール検知器及び自動車用アルコール検知器付き電波受信装置は知られている。
【考案の開示】
【考案が解決しようとする課題】
【０００３】しかしながら、アルコール検知器を電波で作動することには次点がある。
あった。
【課題を解決するための手段】
【０００４】本考案はアルコール検知器からアルコール成分検知された信号を、変換リレー作動により、スタートスイッチ（キースイッチ）の前方で電源を切断、エンジン作動を停止することで解決手段とした。
【考案を実施するための最良の形態】
【０００５】自動車運転席、サンバイザー部分に設けたアルコール検知器でアルコールが検知され、検知信号が電源を流して、スタートスイッチ（キースイッチ）の電源を切断してエンジンを停止させる装置の形態で上記課題を解決するものである。【０００６】本考案は、アルコール検知器の電源は自動車のバッテリーの電源を使用。電波使用とは異なる装置である。
【考案の効果】
【０００７】本考案は運転者が酔って自動車を運転しようとしても、自動車のエンジンが回転せず、自動車が動くことがないため、飲酒運転防止となる。
【図面の簡単な説明】
【図１】本考案に係る飲酒運転防止装置の工程図である。
【符号の説明】
１    アルコール検知器（アルコール感知器）
２    変換リレー
３    スタートスイッチ（キースイッチ）
【図１】
0003112937.tif 000003
(57)【要約】      （修正有）【課題】普段面倒なポリ袋の着脱を手軽にすませ、きちんと収納できる事で部屋のちらかりの防止をするポリ袋収納ケースを提供する。【解決手段】どこでも置ける引き出し式のケ−スから、引き出しを引き出す事なく、中のポリ袋を出し、ごみ箱への着脱が手軽に、素早く、行える事により、部屋のちらかりの防止になる。【選択図】図１
0003112931.tif 000002
【実用新案登録請求の範囲】
【請求項１】
頑丈な引き出し式のケ−スに、隙間とストッパ−を設けるとともに強度のある材質にて、上に物が乗っていても、何処でもポリ袋が一枚ずつ取り出せ、補充も引き出し式にて容易であるのを特徴とする収納ケ−ス
【考案の詳細な説明】
【技術分野】
【０００１】  本考案は、強度のある材質の隙間とストッパ−のついた引き出し式の収納ケ−スに関するものである。
【背景技術】
【０００２】  一般的な４５ｌのポリ袋をまとめ買いしても保管場所に困ったり、設置の際に手間がかかっていた。
【考案の開示】
【考案が解決しようとする課題】
【０００３】  ポリ袋を設置する際、扉の中や棚より出して一枚取り出してまた仕舞う事による時間的、労働的負担が、ごみ箱の下、新聞ラックの下など邪魔にならない所に置いて、必要な時に一枚ずつ取り出せることにより前述の欠点を解決しようとするものである。
【課題を解決するための手段】
【０００４】  本考案は、収納ケ−スに、購入したままの４５ｌポリ袋がすっぽり収まる引き出しのサイズで、引き出しをただ引いても出てこない様に手前下面にストッパ−が着いており、引き出しと外箱の上部隙間より中のポリ袋が片手で楽に取り出す事が可能になり、ポリ袋を中に収納する際は引き出しを少し上に上げて引けば簡単に出てくるので収納も楽、使い勝手のいい場所に置ける事により問題点を解決している。
【考案の効果】
【０００５】  上述の様に、本考案の引き出し式ポリ袋収納ケ−スはポリ袋を容易に収納でき、しかも必要に応じ一枚ずつ取り出せることにより面倒を解消できる。
【考案の実施するため最良の形態】
【０００６】  ポリ袋の収納時は引き出し式なので、摘まんで少し上にずらし、手前に引き出し収納、其の際、ケ−ス上部に物が乗っていてもいちいち片付ける事なく容易である。又、中のポリ袋を出す時はストッパ−が効いて引き出しは出てこないつくりになっているので、隙間よりポリ袋を摘まんで引き出せる。
【実施例】
【０００７】  以下、添付図面に従って一実施例を説明する。１は硬質性のプラスチック、木材等適宜素材にて一体化形成されたケ−ス本体、２はポリ袋を収納する引き出し部の収納室で、この収納室２は手前部を数ミリ上方に上げれば引き出し自在となる。積まれた新聞、雑誌の下、ごみ箱の下等、設置場所も自由である。【０００８】  ３は前記ケ−ス本体１の正面下部に設けた引き出し防止ストッパ−で、中のポリ袋を出す折り、引き出し部ごと出てくるのを防止する。引き出し部は上方に少し上げれば容易に引き出せる。【０００９】  本考案の一実施は上述の如き構成からなるものであるから、ケ−ス本体１の上に新聞、雑誌等を乗せても本考案の利用になんら支障をきたす事なく常に便利である。
【図面の簡単な説明】
【００１０】
【図１】本考案の引き出し式ポリ袋収納ケ−ス断面図
【図２】本考案の引き出し式ポリ袋収納ケ−ス本体図
【図３】本考案の引き出し、式ポリ袋収納ケ−ス引き出し部図
【符号の説明】
【００１１】  １ケ−ス本体
２ケ−ス引き出し部（ポリ袋収納室）
３引き出しストッパ−
【図１】
0003112931.tif 000003
【図２】
0003112931.tif 000004
【図３】
0003112931.tif 000005
(57)【要約】      （修正有）【課題】１組の平台幕で３種類の提示が出来る平台の提供。【解決手段】保持部と平台前面を覆う垂れ幕の頂辺下辺に折り返し部を設け、頂辺に樹脂片を挿着し下辺に樹脂パイプを重しを兼ね挿着、支持部と垂れ幕を接合部を介し結合する。【撰択図】図１【実用新案登録請求の範囲】
【請求項１】
複数枚に分割された保持部と垂れ幕からなる平台幕であって、前記複数枚に分割された保持部は樹脂にすべり止めを貼着してなり、前記垂れ幕は平台前面を覆う横長長方形の頂辺下辺に折り返し部を設け、前記頂辺折り返し部に樹脂片を挿着し、前記下辺折り返し部に樹脂パイプを重しを兼ねて挿着、前記複数枚に分割された保持部に前記垂れ幕を複数カ所に設けたちぎれ材からなる接合部を介し結合したことを特徴とする平台幕。
【考案の詳細な説明】
【技術分野】
【０００１】  本考案は、取り付け作業が容易で、たるみじわが出来ない平台幕に関するものである。
【背景技術】
【０００２】  垂れ幕を平台に吊り下げる場合、垂れ幕の平台前面を覆う横長長方形の告知部と平台平面を覆う横長長方形の白地部が設けられ、白地部の先端部にゴム輪を介し鉤が設けられている。平台上部の縁が下向きの場合は、蓋の縁にゴム輪を介した鉤を引っ掛け、平台前面を覆う告知部下辺ホック付鉤を平台下部に引っ掛け取り付けは容易に行われている。【０００３】  しかし、平台上部の蓋の縁が上向きの場合は、蓋の縁に上がらゴム輪を介した鉤を引っ掛けるため、不安定であり、白地部の上に展示商品が載置されるので張架が異なり、白地部と告知部の境界線を容易に維持することが出来ないという欠点があった。【０００４】  また、平台を前列に長手方向に２台、後列に同じく長手方向に２台の場合、従来の平台幕では下向き上向きに関わらず小口面には垂れ幕を掲示することが出来なかった。【０００５】  この改善策として、
複数枚に分割された保持部（以下、保持部という。）と垂れ幕の複数カ所に設けた、ちぎれ材からなる接合部（以下、接合部という。）により、平台上部の蓋が下向き上向きによる取り付け作業の簡素化が達成された。
平台上部が下向きの場合、平台上部平面に保持部を固着し、接合部を介し結合した垂れ幕の告知部がたるみじわが出来ず平台前面に掲示することが容易に出来るようになった。
平台上部が上向きの場合、長手方向及び小口面２台の場合も蓋の縁の内側に保持部を固着し、接合部を介し結合した垂れ幕の告知部がたるみじわが出来ず平台前面に掲示することが容易に出来るようになった。【０００６】  しかしながら、考案者は形状の異なる垂れ幕を色々見てきたが、ショーウインドウ等のディスプレイ用に吸盤付きの垂れ幕が提供されているが、ウインド用である為、告知面が逆に表れるので本考案との考えに違えがあった。
【特許文献１】公開実用新案  実開平０６−０３７８８７号公報
【考案の開示】
【考案が解決しようとする課題】
【０００７】  解決しようとする問題点は、平台上部の蓋が下向き上向き及び小口面２台の場合において、１組の平台幕で３種類の掲示が出来る点である。
【課題を解決するための手段】
【０００８】  本考案は、保持部と平台前面を覆う垂れ幕の頂辺下辺に折り返し部を設け、頂辺に樹脂片を挿着し下辺に樹脂パイプを重しを兼ね挿着、保持部と垂れ幕を接合部を介して結合したことを最も主要な特徴とする。
【考案の効果】
【０００９】  本考案の平台幕は、１組の平台幕で３種類の掲示方法が出来、着脱が容易であり、複数整列するとき位置の微調整が容易であるという利点がある。
【考案を実施するための最良の形態】
【００１０】  保持部と垂れ幕を接合部を介し結合した平台幕を実現した。
【実施例１】
【００１１】  図１は、本考案の平台幕１の平面図側面図及び保持部２の断面を示す図である。
支持部２は樹脂２１に樹脂（２）２２が貼着され、垂れ幕３頂辺３２の折り返し部に樹脂片３３を挿着し幕の曲がりを防止し、下辺３４の折り返し部には樹脂パイプ３５を重しを兼ね挿着し、支持部２と垂れ幕３を接合部４を介し結合した実装図である。【００１２】  図２は、平台上部の蓋の縁が下向きで、平台上部は平面である。支持部２の樹脂２１に樹脂（２）２２が貼着されすべり止をなし、平台上部平面に固着させ、接合部４を介し結合された垂れ幕３が、平台前面を覆い告知部３１の告知度を高めている。【００１３】  図３は、平台上部の蓋の縁が上向きで、平台上部は凹面である。支持部２の樹脂２１に樹脂（２）２２が貼着されすべり止をなし、平台上部の蓋の縁内側に固着させ、接合部４を介し結合された垂れ幕３が、平台前面を覆い告知部３１の告知度を高め初期の課題を達成した。【００１４】  図４は、平台幕の組立説明図である。支持部２にのぼり旗に用いられているちぎれ材で、任意の輪を作り支持部２に縫い止めし接合部４とし、支持部２に複数個設ける。垂れ幕３の頂辺３２に折り返し部を設け、任意の位置に切り欠部けを設け、頂辺３２の折り返し部に設けた切り欠け部に支持部２に縫い止めた接合部４を結合し樹脂片３３を挿通し、挿入口を縫い止める。
下辺３４に折り返し部を設け、折り返し部に樹脂パイプ３５を挿入し、挿入口を縫い止める。【００１５】  図５は、平台幕１を下辺の樹脂パイプを軸に告知面に傷が付かないように内側に巻き込み収納袋に納め、保管、輸送のための梱包方法に関するものである。垂れ幕に織り癖がつかず、掲示が容易で、保管、輸送に便利な梱包の提案である。【００１６】  図６は、小口面５を表す参考図である。本考案では支持部２を複数枚にし小口面５にも掲示することが出来るようになり、３種類の掲示方法が出来る平台幕の考案で課題を解決した。
【図面の簡単な説明】
【００１７】
【図１】本考案の平台幕。
【図２】本考案の平台幕を平台上部蓋の下向き状態に取り付けた参考斜視図。
【図３】本考案の平台幕を平台上部蓋の上向き状態に取り付けた参考斜視図。
【図４】本考案の平台幕の組立状態を示す参考図。
【図５】本考案の平台幕の保管、輸送の梱包方法。
【図６】本考案の平台小口面を表す参考図。
【符号の説明】
【００１８】１    平台幕
２    保持部
２１  樹脂
２２  樹脂（２）すべり止め
３    垂れ幕
３１  告知部
３２  頂辺
３３  樹脂片
３４  下辺
３５  樹脂パイプ
４    接合部
４１  接合部切り欠け
５    小口面
【図１】
0003112936.tif 000002
【図２】
0003112936.tif 000003
【図３】
0003112936.tif 000004
【図４】
0003112936.tif 000005
【図５】
0003112936.tif 000006
【図６】
0003112936.tif 000007
(57)【要約】      （修正有）【課題】使用度の多い雑巾を、柄付き拭き掃除用具に脱着せず、簡単に使用することができるらくらく拭き掃除用具を提供する。【解決手段】柄付き拭き掃除用具の裏面に無数の三角の突起３を付ける。そのことにより、柄付き拭き掃除用具に、雑巾を脱着する必要もなく手間を省く。雑巾を床面等に広げ置くだけで、無数の三角の突起３が、雑巾をがっちり捕え、すべることもなく、力を入れず、楽に拭き掃除ができる。布雑巾を使用すると、洗え、衛生的、経済的である。【選択図】図３
0003112934.tif 000002
【実用新案登録請求の範囲】
【請求項１】
拭き掃除用具の裏面に無数の三角の突起を付けた、柄付き拭き掃除用具。
【考案の詳細な説明】
【技術分野】
【０００１】  本考案は、柄付き拭き掃除用具に関するものである。
〔背景技術〕【０００２】  従来の柄付き拭き掃除用具は、雑巾を挟んだり、止めたり、手間がかかり面倒。
〔考案の開示〕
〔考案が解決しょうとする課題〕【０００３】  使用度の多い雑巾を、柄付き拭き掃除用具に脱着せず、簡単に使用する。
〔課題を解決するための手段〕【０００４】  そこで、床面等に接する柄付き拭き掃除用具の裏面  図２に無数の三角の突起３を付け、雑巾を脱着する手間を省く。
〔考案の効果〕【０００５】  よって、本考案は、雑巾を床面等に広げ置くだけで、雑巾の大、小に拘らず、柄付き拭き掃除用具の無数の三角の突起３が雑巾をがっちり捕え、力を入れることなく、楽に拭き掃除ができる。
布雑巾なら、洗い使用でき、衛生的、経済的でもある。
〔考案を実施するための最良の形態〕【０００６】  本考案に係る柄付き拭き掃除用具、本体２の材質は、床面等に傷をつけず、弾力のある素材が望ましい。
柄１は、軽くて持ちやすい、アルミ等を使い、柄の長さは自由。
本体２と、柄１の付け根は動く。
【図面の簡単な説明】
【０００７】〔図１〕
本考案した、柄付き拭き掃除用具を床面に、垂直に立てた状態である。
〔図２〕
本考案した、柄付き拭き掃除用具が、床面等に接する面、裏面。
〔図３〕
本考案した、柄付き拭き掃除用具の斜視図。
【符号の説明】
【０００８】  １  柄
２  本体
３  本体に付いている突起
４  柄のつけ根、自由に動く
【図１】
0003112934.tif 000003
【図２】
0003112934.tif 000004
【図３】
0003112934.tif 000005
(57)【要約】      （修正有）【課題】ホイッスルとボールペンを一体化することにより、ボールペンを握ったまま、ホイッスルを吹いたりボールペンで書いたりするという２つの動作がスムーズにできるようにする。【解決手段】ホイッスル１とボールペン２を一体化し、ホイッスルの吹き口の下に紐通し穴３を付けて、首からぶら下げた時に、ボールペンのペン先が下を向き、ホイッスルの吹き口が上を向くようにし、ボールペンを握ったままの状態で持ち替えることなく吹いたり書いたりすることができる。【選択図】図１
0003112932.tif 000002
【実用新案登録請求の範囲】
【請求項１】
ホイッスルの吹き口の反対側にボールペンを付けて一体化し、ホイッスルを吹くこととボールペンで書くことが、持ち替えることなくできることを特徴とするホイッスル。
【考案の詳細な説明】
【技術分野】
【０００１】  本考案は、ホイッスルにボールペンを設けた、ホイッスルに関するものである。
【背景技術背景】
【０００２】  スポーツに関わる指導者や体育教師等は、スタートの合図や試合の審判の時に鳴らすホイッスルと、記録用するためのボールペンの両方を持ち替えながら併用していた。
【考案の開示】
【考案が解決しようとする課題】
【０００３】  ホイッスルとボールペンを併用するということは、視線を移して持ち替える必要があり、動作の負担も大きい。さらに、ストップウォッチも併用しなければならない時は、その負担がさらに増す。また、両方が紐で首からぶら下げるタイプのものであれば、両方の紐がからみあうこともある。従って、ホイッスルとボールペンを一体化することにより、ホイッスルを吹くことと書いて記録する動作がスムーズになることで前述の欠点を解決している。
【課題を解決するための手段】
【０００４】  本考案は、ホイッスルの吹き口の反対側にボールペンを設けたので、ボールペンを握った状態でホイッスルを吹き、視線をボールペンに移したり、持ち替えたりすることなく書くことができるということにより問題点を解決している。
【考案の効果】
【０００５】  上述の様に、本考案のボールペン付ホイッスルは、学校体育のスポーツテストや、運動能力を記録する時に有効である。例えば、３０秒間に何回腹筋運動ができるか記録したり、１０メートルを何秒で走ることができるか記録したりといった、ストップウオッチと併用する時や、学校体育の時間にバスケットボールの主審をしながら生徒のプレーの評価を記録する時などに、ホイッスルとボールペンの持ち替えのもたつきをなくしたり、視線を運動者に向け続けることができるという点で役立つ。
【考案を実施するための最良の形態】
【０００６】  本考案は、ホイッスルの吹き口の下に紐をつけることで、首からぶら下げた時に、ボールペンのペン先が下を向き、ホイッスルの吹き口が上を向くようにする。このことで、ボールペンを握った状態で、視線を移して持ち替えることなくホイッスルを吹いたり、記録を書いたりすることができる。
【実施例】
【０００７】  以下、添付図面に従って一実例を説明する。１はノック式ボールペンのノック部分に付けられたホイッスルで、２はノック式ボールペンで、この一体化したものを首からぶら下げられるように、３のように紐を通す穴をホイッスルの吹き口の下に設ける。紐のからまりを防ぐために、４のリングをつける。
【図面の簡単な説明】
【０００８】
【図１】本考案のホイッスル付ボールペンの一実施例を示す図である。
【符号の説明】
【０００９】  １  ノック式ボールペンのノック部分と一体化したホイッスル
２  ノック式ボールペン
３  紐通し穴
４  リング
５  全体を首からぶら下げるための紐
【図１】
0003112932.tif 000003
(57)【要約】【課題】    緊急時などの携帯を容易にした救急バッグ及び救急箱を提供する。【解決手段】救急バッグ・救急箱に肩掛け用のバンドを装着する。【選択図】  図１
0003112933.tif 000002
【実用新案登録請求の範囲】
【請求項１】
肩掛け用のバンドを装着した鞄型の救急バッグ。
【請求項２】
肩掛け用のバンドを装着した箱型の救急箱。
【考案の詳細な説明】
【考案の詳細な説明】
【産業の利用分野】
【０００１】この考案は、救急バッグ・救急箱に肩掛け用のバンドを装着し緊急時などの携帯を容易にした救急用品入れである。
【背景技術】
【０００２】従来の救急箱は手に提げて運ぶ手提げタイプの救急箱しか無かった。
【考案が解決しようとする課題】
【０００３】緊急避難時・移動時などの携帯を容易にする。
【考案を解決しようとする手段】
【０００４】肩掛け用のバンドを装着し、携帯を容易にする。
【考案の効果】
【０００５】１、  地震・台風などの突然の災害での避難時には肩に掛けられるので両手がふさがらず自由に使え、自身の安全・他人の救助活動・非常用品の持ち出し等に便利である。
２、  遠足・修学旅行・クラブ活動・スポーツの遠征試合などにおいては救急用品の携帯が容易である。
３、  普段から目の見える所に吊るしておけるので、緊急時に即持ち出す事が出来る。
【図面の簡単な説明】
【図１】肩掛け用のバンドを装着した鞄型の救急バッグの一実施例による斜視図である。
【図２】図１の鞄型の救急バッグを開いた正面図である。薬品・救急用品等が散乱せず、整理し易く、取り出し易いように多くのメッシュポケット・マジックバンド等を使用した一実施例である。
【図３】従来型の箱型の救急箱に肩掛け用のバンドを装着した斜視図である。
【符号の説明】
１、  肩掛けバンド（ショルダーストラップ）
２、  ハサミ
３、  ガーゼ
４、  テープ
５、  バンドエイド
６、  薬品類の容器
７、  マジックバンド
８、  湿布
【図１】
0003112933.tif 000003
【図２】
0003112933.tif 000004
【図３】
0003112933.tif 000005
(57)【要約】      （修正有）【課題】高圧洗浄装置のノズルから噴出される高圧水に洗剤等を混入させる高圧洗浄機用ノズルの提供。【解決手段】高圧水が噴出するときに高圧水の近くには負圧が発生する。このとき発生した負圧により薬液タンク３の洗剤をくみ上げる。くみ上げた洗剤と高圧水が混合するようにノズルを設置する。【選択図】図１
0003112980.tif 000002
【実用新案登録請求の範囲】
【請求項１】
高圧洗浄装置の噴出ノズルの噴出前方に洗剤ノズルを取り付けて、高圧スプレー水噴射時に発生する負圧を利用してスプレー水に洗剤液を混入するようにした装置。
【請求項２】
高圧洗浄装置の噴出ノズルの噴出前方に洗剤ノズルを取り付けて、高圧スプレー水噴射時に発生する負圧を利用してスプレー水に洗剤泡を混入するようにした装置。
【考案の詳細な説明】
【技術分野】
【０００１】本考案は高圧洗浄機のノズルに関するものである。
【背景技術】
【０００２】従来高圧洗浄器の噴出水の種類を水や洗剤に切り替えるには、高圧洗浄器のタンク水に洗剤を添加する必要があった。
【考案の開示】
【考案が解決しようとする課題】
【０００３】洗剤の混入と混入断、及び洗剤の種類交換を行えるようにする。
【課題を解決するための手段】
【０００４】洗浄ノズルのスプレー前方に混合ノズルを設ける。【０００５】洗浄ノズルから高圧水が噴出するときに発生する負圧を利用して薬剤タンク内の洗剤を混合ノズルまでくみ上げる。【０００６】前記でくみ上げた洗剤を洗浄ノズルの高圧水と混合して噴射する。
【考案の効果】
【０００７】高圧洗浄ノズルから水を噴出する時にノズル先端周辺に発生する負圧により洗剤をくみ上げ、噴出する高圧水に洗剤を混入するようにした。【０００８】混合ノズルから延びるホースを薬剤タンクに接続するにおいて、泡側もしくは液側を切り替える事によりくみ上げる洗剤の状態を切り替えることができる。
【考案を実施するための最良の形態】
【０００９】図１に示す混合ノズルを介して薬剤タンクに接続される。
【実施例】
【００１０】図１は本考案実施例を示す概念図である
アタッチメント１は中空のパイプであり混合ノズル２の噴出口はアタッチメントの先端に取付けられる。混合ノズルのもう一端は薬剤タンク３に接続される。薬剤タンク内において泡取出口の先端は常時空間に設置し、液取出口は常時液中に浸るように各取出パイプを配置する。混合ノズルを用途に応じて各取出パイプ４又は５の一方に接続する。
【産業上の利用可能性】
【００１１】本考案は高圧洗浄機のスプレー水に洗剤等の薬剤を混入させるものであるが、液状のものであれはスプレー水に混入させることができるので、産業上の利用可能性が期待できる。【００１２】本考案の採用により高圧洗浄水に多様な洗剤を混ぜることができる。汚れの性質に応じて洗剤の種類を切替えられるの等の効果が有る。
【図面の簡単な説明】
【００１３】
【図１】本考案実施例の概念図である。
【符号の説明】
１  アタッチメント
２  混合ノズル
３  薬剤タンク
４  泡取出し口
５  液取出し口
【図１】
0003112980.tif 000003
(57)【要約】      （修正有）【課題】スパイラルで綴じられた冊子のうら表紙の裏面のつつかい具を持って、目の前に立て場所を取らずに読むことが出来、立て掛け支え具をスライドさせて伸ばし、冊子の頁を縦に見開き状態にして、頁をめくる動作を容易にする。【解決手段】スパイラル５で綴じた縦に見開き卓上冊子のうら表紙の裏面に取り付けた、つつかい具２を持つて卓上冊子として目の前に立てる。又うら表紙の裏面に取り付けてある立て掛け支え具３をスライドさせて伸ばし、卓上冊子の最後の頁以外を表紙と共に立てかけて縦に見開き状態にして、頁をめくる動作を容易にする。また頁の上部の凸部分４を手に持っているもので軽く手前に戻し、頁が垂直線を越えると重力の作用で頁は正しくめくれ、この動作を繰り返す事により頁は順次めくれるように設定され、頁をめくるのに手間取ることが無く読み進み冊子の内容に沿う成果につながる。【選択図】図３
0003112974.tif 000002
【実用新案登録請求の範囲】
【請求項１】
（イ）スパイラル又はリンクで綴じられた、冊子の厚手のうら表紙の裏面に、つっかい具（２）と立て掛け支え具（３）を備え。
（ロ）厚手の紙を使用した頁の上部に、頁ごとに位置を変えて凸部分（４）を有する冊子。
【考案の詳細な説明】
【技術分野】
【０００１】  本考案は冊子の頁を縦に見開き状態にして少しの接触で、後は重力の作用で瞬時に正確に頁をめくれる卓上冊子に関する。
【背景技術】
【０００２】  従来の冊子は手に持つか、物体の上に置いて指で頁をめくって開き読むことが慣習化されているが、利用分野によれば頁をめくるのに手間取ったリ汚したりして不便を伴う場合が多い。
【考案の開示】
【考案が解決しようとする課題】
【０００３】  従来の慣習にもとずいての冊子の読み方は、料理や商品の組み立てや使用説明や音楽の楽譜の利用分野では、指で頁をめくる動作によりタイミングを逸する結果、冊子の内容が求める正しい成果に繋がらない場合が多い、又冊子を指でめくるのに手が汚れていて冊子を汚したり、正しく頁がめくれなくて手間取る不便がある、又冊子を見やすく、読みやすい位置におく為に場所を取りすぎたり冊子を汚したりすることがある。
【課題を解決するための手段】
【０００４】  スパイラル（５）又はリンクで綴じられた冊子の厚手のうら表紙の裏面の、つつかい具（２）をもつて目の前に立て読みやすく設定。【０００５】  立て掛け支え具（３）をスライドさせて伸ばし、頁を縦に見開き状態に立て掛けて頁をめくり易く設定。【０００６】  頁の上部の凸部分（４）を軽く引き戻すことで瞬時に頁をめくれる構成にしたものである。
【考案の効果】
【０００７】  スパイラル（５）で綴じられた冊子のうら表紙の裏面のつつかい具（２）を持つて、目の前に立て場所を取らずに読むことが出来る。【０００８】  立て掛け支え具（３）をスライドさせて伸ばし、冊子の頁を縦に見開き状態にして、頁をめくる動作を容易にする。【０００９】  冊子の頁の上部の凸部分（４）を手に持っている物で、軽く手前に引き戻し垂直線を越えると重力の作用で瞬時に正しく頁をめくれる効果が有り、頁をめくるのに手間取ることや、タイミングを逸する事が無く読み進むことに便利である。【００１０】  冊子の内容により、手を止めたり、頁をめくるのに手間取ると、タイミングを逸して冊子の内容が求める成果に支障がおこる、料理レシピや商品の組み立てや手芸のテキストには特に効果がある。
【考案を実施するための最良の形態】
【００１１】  スパイラル（５）で綴じられた冊子の厚手のうら表紙の裏面の、つっかい具（２）をもつて卓上写真のように目の前に立て卓上冊子とする。【００１２】  スパイラル（５）で綴じられた冊子の、厚手のうら表紙の裏面の立て掛け支え具（３）をスライドさせて図（５）のように伸ばし、最後の頁以外を表紙と共に立てかけて、縦に見開き状態に設定する。【００１３】  縦に見開き状態に設定された厚手の紙の頁の上部に、頁ごと位置を変えて有する凸部分（４）を手元に軽く引き戻し、垂直線を越えると重力の作用で頁はめくれるように設定。【００１４】  冊子の内容は、従来の印刷順序と異なり縦の見開き状態でめくれる頁を読み進む順序で印刷される。【００１５】冊子の頁は厚手の紙に類する材料で出来ており、頁の上部の凸部分（４）は硬度のあるふち取り紙に類する物を張り付け、凸部分（４）に変えて使用することも出来る。【００１６】従来あるスパイラル（５）で綴じられたレシピカードにも、縦に見開き卓上レシピカード綴りとして構成して利用が可能である。
【実施例】
【００１７】料理レシピをスパイラル（５）で綴じた縦に見開き卓上冊子の内容とした場合、つつかい具（２）をもつて料理卓上冊子を目の前の調理台の上に立てると、場所を取らず又立て掛け支え具（３）で頁を縦に見開き状態にし、頁の上部の凸部分（４）を手に持つている物で軽く手前に引き、頁が垂直線を越えると重力の作用で瞬時に正しくめくれるので調理の手を休めることがなく、冊子の内容を見ながら調理が進められ、頁をめくるのに手間取つたリ、汚れた指で冊子を汚す事も無く、調理のタイミングを逸する事が無く、初めての料理でも目の前の料理卓上冊子を見ながら順序よく進められ、冊子の内容が求める味や出来上がりに近かずくことが出来る。【００１８】編物や手芸の指導説明の内容を、スパイラル（５）で綴じた縦に見開き卓上冊子に利用すれば、目の前に立てて手に持つている物で頁の凸部分を軽く手前にもどし、垂直線を頁が越えると自然に頁はめくれるため、指導説明の内容を見ながら手を休める事が無く編物や手芸をすすめることができる。【００１９】短編の子供の絵本や童話を、スパイラル（５）で綴じ縦に見開き卓上冊子の内容に利用すれば入院中で起き上がれない子供でも、枕もとに立てて布団の中から手や体を出さずに冊子に届く細い棒状の物で凸部分（４）を手前に軽くもどして一人でめくり、絵本や童話を読むことができる。【００２０】音楽の楽譜を、スパイラル（５）で綴じた縦に見開き卓上冊子の方法で使用すれば、演奏中でも素早く凸部分（４）を手前に戻し、楽譜が垂直線を越えると瞬時に正しくめくれるので、演奏に支障なく便利である。【００２１】商品の組み立てや使用説明に、スパイラル（５）で綴じた縦に見開き卓上冊子を利用すれば目の前に組み立てや使用の説明を読みながら、手を休める事が無く簡単に頁をめくて順序よく説明にしたがつて進めることが出来る。
【産業上の利用可能性】
【図面の簡単な説明】
【００２２】
【図１】本考案のスパイラル（５）で綴じた見開き卓上冊子の裏面の外観図
【図２】立て掛け支え具をスライドして伸ばし、卓上冊子をつつかい具で立てた斜視図
【図３】本考案の実施例を示す斜視図
【符号の簡単な説明】
【００２３】  １  冊子の頁
２  つつかい具
３  立て掛け支え具
４  凸部分
５  スパイラル
６  うら表紙
７  止め金
８  スライド用切込み
【図１】
0003112974.tif 000003
【図２】
0003112974.tif 000004
【図３】
0003112974.tif 000005
(57)【要約】      （修正有）【課題】将棋駒に穿孔することなく付属品を取り付け、将棋駒の装飾品としての美観を保ち、既存のデザインの刷新を図る。【解決手段】将棋駒の側面上部に取り付け用金具３等を装着し、紐状等の付属品４を装着する。将棋駒の装飾品のデザインを広域にわたる創意工夫を取り入れることにより、将棋駒の装飾品の利用価値を拡張する。【効果】将棋駒の美観的特性を発揮しつつ、将棋駒の装飾品の産業上利用を促進する。【選択図】図１
0003112904.tif 000002
【実用新案登録請求の範囲】
【請求項１】
将棋の駒の側面上部に、紐状等の附属物を装着した将棋駒の装飾品。
【請求項２】
本来の将棋駒の種類を示す文字以外のデザインを施した、将棋駒の装飾品。
【考案の詳細な説明】
【技術分野】
【０００１】  本考案は、将棋駒の美観的特性、将棋駒の木材質及び木調の特徴を活かし、新たなる産業上利用等の機能を配した、将棋駒の装飾品に関するものである。
【背景技術】
【０００２】  将棋駒を装飾品として加工するさいに、将棋駒に紐状等の付属物を取り付けるためには、元来は駒の頂上部を穿孔することにより解決していた。そのため、駒の文字を表記するデザイン部分に穴を空けることとなり、将棋駒が伝統的に具備している美観的特性が外観上損なわれる結果となっている。さらに将棋駒は黄楊等の高級木材を使用するのが特徴であり、識別的な付加価値を得てきた。ところが、装飾品として加工するさいの穿孔により、上述の高級木材の材質を貶めることとなり、木調のもつ固有の美的効果が減縮されているのが現状である。一方、将棋駒を装飾品として用いる場合、駒に付される文字は、王将や歩兵といった本来の将棋駒の動きを示すものが殆どであり、書体によって種類は拡大できても、特に将棋に興味の無い人々への関心を喚起できないでいた。かかる状況により、将棋駒のもつ特有の美観的特性を装飾品として産業上利用するさいに、需要者は一定の範囲に制限されること、やむなきに至っている。
【考案が解決しようとする課題】
【０００３】  将棋駒を装飾品として加工するさいに、駒に穿孔する行為を回避しなければならない。将棋駒の持つ、伝統的な高級木材質や木調の風合い、品質保持、ならびに、美観的特性を維持するためである。
【０００４】  将棋駒を装飾品として加工するさいに、紐状等の付属品を外観上統一性のある位置に取り付けねばならない。装飾品としての美観的特性を最大限に発揮することにより、需要者側の購買意欲を促すためである。
【０００５】  本来用いられている、将棋駒を用いた装飾品に付されている駒の動きを示す文字以外の、多様なデザインを施すべく、企画立案しなければならない。将棋愛好者はもとより、幅広い需要者層に対し、将棋駒の装飾品の魅力を訴え、産業上の利用価値を高めるためである。
【０００６】  本考案の目的は、上述したような将棋駒の装飾品に係わる課題を解決しつつ、日本の伝統芸術である将棋駒の認知領域、ならびに将棋駒の装飾品の利用範囲の拡充を達成することを主眼とする。
【課題を解決するための手段】
【０００７】  将棋駒を装飾品として加工するにあたり、紐状等の付属物を取り付けるさいには、将棋駒の側面上部に螺子等で固定する。
【０００８】  将棋駒のデザインに関しては、従来の王将、歩兵等駒の動きを識別するための文字、名称に限らず、印章、手彫り、シルク・スクリーン印刷による機械彫りを含め、需要者側の欲求を充たすべく、企画立案する。なお、歩兵のように裏面にと金（成り駒標記）を付したような駒もあるが、本考案では片面だけデザインを施すか裏面にもデザインを施すかは、任意に選択できるものとする。
【０００９】  本考案の将棋駒の装飾品の斜視図である図１を用いて実施例について説明するが、本考案の趣旨を越えない限り何ら、本実施例に限定されるものではない。なおデザイン面とは、客観的に判断される将棋駒の表面と裏面のことをいい、側面とは、将棋駒の立体型を形成する５つの厚みにあたる面の部分のことをいう。
【考案を実施するための最良の形態】
【００１０】  １は、将棋駒の側面上部であり、当該部分に螺子等の取り付け部分２で付属品の取り付け用金具３等を装着する。従来のように、駒のデザイン面上部に、穿孔して付属品を取り付ける形態と比べ、駒の材質を貶めず、また付属品が将棋駒と、外観上及び実用上、より安定して装着されている。４は紐状等の付属品を装着した例である。４のごとき形状は、主に携帯電話のストラップに用いられているが、この部分はキーホルダー用にする等任意に設定できる。【００１１】  ５は、将棋駒の装飾品の表側デザイン面である。装飾品を含め、駒に付されるデザインは、王将や歩兵といった本来の将棋駒の動きを示す文字が、色彩に於いては黒色と朱色が主流を占めている。本考案では５の将棋駒のデザインに関しては、需要者の要望に応じて、色彩や、片面のみのデザイン、両面のデザインを含め、適宜に設定できるものとする。【００１２】  ５の将棋駒のデザインは上述のとおり文字によるものが主流であるが、本考案では文字をはじめ、図形、揮毫、イラスト画等を含めた広域にわたるデザインの創意工夫を取り入れることにより、将棋駒の装飾品の産業上利用を促進する。
【考案の効果】
【００１３】  本考案は、以上説明したように構成されているので、以下に記載されるような効果を奏する。
【００１４】  穿孔することなく付属部を装着できるので、駒の木材質や木調の美観を保つことができる。高級将棋駒に用いられる、黄楊材や柾目、虎斑等木調の美観的特徴を最大限に発揮することが可能となり、工芸品としての伝承も介助する。
【００１５】  座右の銘や俳句程度の文字数であればデザイン化可能なので、将棋愛好者以外の需要者層向けの装飾品になりうる。また外国語表記やイラスト画等のデザインを施すことにより、外国人向けの土産品等新規産業上利用を拡大できる。
【００１６】  携帯電話用ストラップやキーホルダー用等装飾品向けに加工したさいに、形態上の安定感が増し、外観上の美観を最大限に発揮できる。また木材質を傷めないので、耐久性や大量生産といった産業上の有効性を生じうる。
【００１７】  人気将棋棋士の揮毫や署名をデザイン面に施すことにより、従前の将棋愛好者向けの需要も望まれる。またイベント会場等で、記念品の配布等の企画により、将棋愛好者向けの新たな興味を掻き立てることができる。
【００１８】  法人名、会社ロゴ等をデザイン化することにより、企業向けのノベルティー商品としての産業上利用が可能となる。また、人気スポーツ・チームの選手名や、試合のキャラクター商品としての市場の新規販捉用としての側面も生じうる。
【図面の簡単な説明】
【００１９】
【図１】  将棋駒の装飾品の斜視図である。
【符号の説明】
【００２０】  １  将棋駒の側面上部
２  螺子等の付属品取り付け部分
３  取り付け用金具
４  紐状等の付属品
５  将棋駒の表のデザイン部分
【図１】
0003112904.tif 000003
【手続補正書】
【提出日】平成17年3月31日(2005.3.31)
【手続補正１】
【補正対象書類名】実用新案登録請求の範囲
【補正対象項目名】請求項２
【補正方法】変更
【補正の内容】
【請求項２】
将棋駒の種類を示す文字以外のデザインを施した、将棋駒の装飾品。
(57)【要約】      （修正有）【課題】少しの段差や溝、足場の悪い足場の悪い砂利や砂、雨上がりのぬかるんだところでも、介助なしで自分の力で走行できる車いすの提供。【解決手段】町のあちこちで見られる少しの段差や溝、また、砂利や砂、雨上がりのぬかるんだ地面でも、介助なしで自分の力で走行可能にする。そのために、前輪にキャタピラ（補助輪）をつけた車いす。しかも、通常走行時に、キャタピラが地面についていたら、走行の邪魔になり、また手で車輪を回すのが重いので、必要時（走行困難時）のみ、電動によるキャタピラ走行を可能にするよう、地面すれすれにキャタピラを取り付ける。【選択図】図１
0003112908.tif 000002
【実用新案登録請求の範囲】
【請求項１】
町のあちこちで見られる少しの段差や溝、また、砂利・砂、雨上がりのぬかるんだ地面のような足場の悪いところでも、介助なしで走行可能なように、前輪にキャタピラ（補助輪）をつけた車いす。
【請求項２】
必要時（走行困難時）のみ、キャタピラ（補助輪）を使うことのできるようにする。
【考案の詳細な説明】
【技術分野】
【００１】本考案は、車いすを利用する人が、少しの段差や溝、足場の悪いところでも、介助なしに自分の力で走行できるように考えた。
【背景技術】
【００２】今までは、少しの段差や溝、足場の悪いところを、介助なしに自分一人の力だけで走行することは、困難であった。
【考案の開示】
【考案が解決しようとする課題】
【００３】  町の何処を見渡しても、完全にバリアフリーであるとはいえない。今までは、介助がないと、少しの段差や溝、足場の悪い雨上がりのぬかるんだところは、車いすの自力走行が困難であった。本発明は、町のあちこちで見られる少しの段差や溝、足場の悪い砂利や砂、雨上がりのぬかるんだところでも、介助なしに自分の力で走行可能にするために考えたものである。
【課題を解決するための手段】
【００４】  町のあちこちで見られる少しの段差や溝、また、砂利・砂、雨上がりのぬかるんだ地面でも、介助なしで走行可能なように、前輪にキャタピラ（補助輪）をつけた車いす。
しかも、通常走行時に、キャタピラが地面についていたら、走行の邪魔になり、また手で車輪を回すのが重いので、必要時（走行困難時）のみ、電動によるキャタピラ走行を可能にするよう、地面すれすれにキャタピラを取り付ける。
【考案の効果】
【００５】  少しの段差や溝、足場の悪い砂利や砂、雨上がりのぬかるんだところでも、自力走行が可能である。
【考案を実施するための最良の形態】
【００６】  以下、本発明の実施の形態について説明する。
（イ）通常走行で、キャタピラ（補助輪）が地面に接していたら、手で車輪を回すのが重いので、地面すれすれにキャタピラを取り付ける。
（ロ）段差を超える時、後ろに重心がかかり転倒しやすいので、バッテリーを前方足元に積み、前方重心しかも低重心にする。
（ハ）駆動スイッチは、寸動スイッチ、しかも左右独立でキャタピラが回るようにする。
【図面の簡単な説明】
【００７】
【図１】  キャタピラ（補助輪）、バッテリー、寸動スイッチを取り付けた正面図である。
【図２】  キャタピラ（補助輪）、バッテリー、寸動スイッチを取り付けた側面図である。
【符号の説明】
【００８】  １  車いす本体
２  キャタピラ
３  バッテリー
４  寸動スイッチ
【図１】
0003112908.tif 000003
【図２】
0003112908.tif 000004
【手続補正書】
【提出日】平成17年4月6日(2005.4.6)
【手続補正１】
【補正対象書類名】実用新案登録請求の範囲
【補正対象項目名】全文
【補正方法】変更
【補正の内容】
【実用新案登録請求の範囲】
【請求項１】
町のあちこちで見られる少しの段差や溝、砂利や砂、雨上がりのぬかるんだ地面でも、介助なしで走行可能なように、車いす前輪２個の間に、補助輪としてのキャタピラをつけた車いす。
【請求項２】
少しの段差や溝、砂利や砂、雨上がりのぬかるんだ地面でも、介助なしで走行可能できるように、車いす前輪２個の間に、キャタピラを地面すれすれに取り付け、走行困難時などの必要時のみ電動でキャタピラが動くことを特徴とする請求項１記載の車いす。
(57)【要約】      （修正有）【課題】人手や石油、電力等のエネルギーを使うことなく、風力といった自然エネルギーを利用して鳥類を追い払うことの出来る風力利用上下運動鳥追い装置の提供。【解決手段】復リードウォームギヤ軸に風車を取り付ける。風車に風が当たれば回転機動力に変わる。変わった機動力を付帯のプーリーに主ワイヤーを１回半巻き、そのワイヤーの緊張と緩めるだけの２行動によって、上昇・下降の２行動の発生と、動力玉の上下運動といった連動性によって上下運動達成出来、それによって鳥追い目的達成できた。【実用新案登録請求の範囲】
【請求項１】
複リードウォームギヤ軸に風車を取り付け風力を機動に変えて緊張したワイヤーを利用して上下運動しながら害をなす鳥を追い払うことを目的とした風力利用鳥追い装置
【考案の詳細な説明】
【技術分野】
【０００１】本考案は自然エネルギー風を動力源とした鳥追い装置に関するものである
【背景技術】
【０００２】今までは人が登ってゆき、鳥の巣などは取り除いていた。特に送電線鉄塔などは高度と風圧などで危険が非常に多い。尚磁石を利用した器物等がありますが、あまり効果なしと聞く今までは人間が登って鳥の巣などを取り除いていた。特に送電鉄塔などは、高度と風圧等で危険が多いと聞く。尚、磁力利用等があるがあまり効果なしと聞く。
【考案の開示】
【考案が解決しようとする課題】
【０００３】従来例で示した人力で取り除く方法は労力を要するだけでなく危険が伴う作業であった。尚磁石等の器物装置で鳥の近づきを防げれば１番良いがあまり効果なしと聞く
【課題を解決するための手段】
【０００４】本考案は風車軸に複リードウォームギアを取り付け連結のウォームホイールプーリーに主ワイヤーを１回半巻きつける。その一端は動力玉の反対側に結ぶ。その間の緩みをスプリングとネジで調整しながら緊張する風車が風を受け回転することで、ホイールプーリーとワイヤーに摩擦が生じその摩擦によってプーリーの本体上昇行動が起きる。
尚、プーリーに取り付けたピンがスプリングを引き伸ばしプーリー軸を通過するとき、ピンよりスプリングが外れると同時にスプリング連体の打撃管が勢いよく破裂室のクラッカーボールを破裂させ発射管に入っている軽石あるいは砂等を発射管より外に吹き飛ばす。プーリーに取り付けたピンがスプリング連体の管を持ち上げることで次のクラッカーボールが打撃室に入ることの連続である。
【考案の効果】
【０００５】この考案により、人力、石油、電力等の動力源を用いることなく自然エネルギーである風を動力源とした装置に関する。
【考案を実施するための最良の形態】
【０００６】この考案の実施例を図面に基づいて説明する。
１は、風車付複リードウォームギア。２はウォーム付プーリー。３はスプリング引っ掛けピン。４は動力玉包蔵管。５は動力玉。６は主ワイヤー。７はスプリングと調整ネジ。８は１〜４の発射管。９はスプリング連体の打撃管。１０は破裂室。１１はくラッカーボール収納管。１２は収納管取り付け口。１３は上昇停止紐。
図２を用いて動作を説明する。風力で風車１が回転するとその回転が２のウォームギア付きプーリーに伝導されてプーリーに１回半巻きつけた主ワイヤーを７のスプリングと調整ネジで４の包蔵管と主ワイヤーの緩みや緊張を調整する。緊張後は風力の回転でプーリー本体が上昇する。上昇限界は紐の長さで自由に決める。限界までの時点で１３の停止紐が包蔵管の一端を引き上げることで５の重力玉が反転して緊張ワイヤーが緩み、プーリーの摩擦が解けることでプーリー本体の重みで降下する。１と２の風車とプーリーは風によって常に上昇行動が続く。プーリーに巻いたワイヤーは摩擦が解けたとしても多少は残るため、急降下落下とはならない。また下がってきたプーリー本体の重みで包蔵管の一端を押し下げることで、重力玉が反転して主ワイヤーが緊張することでプーリー本体の上昇行動となる。
【図面の簡単な説明】
【０００７】
【図１】本考案の平面図である
【図２】本考案の分解斜視図である
【図３】本考案の使用例を示す図である
【符号の説明】
【０００８】  （１）複リードウォームギア軸と風車
（２）ウォームギアホイール付帯プーリー
（３）スプリング引っ掛けピン      （４）重力玉包蔵管
（５）重力玉                      （６）主ワイヤー
（７）スプリングと調整ネジ
（８）１〜４’軽石、砂、発射管
（９）スプリング連体の打撃管    （１０）破裂室
（１１）クラッカーボール収納管    （１２）収納管取り付け口
（１３）上昇停止紐                （１４）軽石、砂等
【図１】
0003112902.tif 000002
【図２】
0003112902.tif 000003
【図３】
0003112902.tif 000004